(57)【要約】【課題】  浴槽の湯張り温度が異常温度になったことを使用者に知らしめることができる給湯装置を提供する。【解決手段】  上水が加熱手段１１により加熱されて得られた温水の流量を流量計１３で検出することにより求めた温水の給湯量Ｑ１と、湯温センサ１２で検出することにより求めた前記温水の平均温度ｔ１と、前記上水の温度を検出する水温センサ１４で検出することにより求めた上水の平均温度ｔ２と、浴槽用定量止水栓５から浴槽へ湯張りされる設定量Ｑ３とを用いて、式１：  ｔ３＝（ｔ１−ｔ２）Ｑ１／Ｑ３＋ｔ２により算出した湯張り温水推定温度ｔ３が、異常温度であると判断した場合に、使用者に知らしめる構成とする。【選択図】  図１
2006234206.tif 000002
【特許請求の範囲】
【請求項１】
上水の温度を検出する水温センサ（１４）と、前記上水を加熱する加熱手段（１１）と、前記上水が前記加熱手段（１１）により加熱されて得られた温水の流量および温度をそれぞれ検出する流量計（１３）および湯温センサ（１２）と、前記湯温センサ（１２）の検出値に基づいて求めた前記温水の平均温度ｔ１、前記流量計（１３）の検出値に基づいて求めた前記温水の給湯量Ｑ１、前記水温センサ（１４）の検出値に基づいて求めた前記上水の平均温度ｔ２、および前記湯温センサ（１２）の下流に連結される浴槽用定量止水栓（５、５Ａ）から排出されて浴槽へ湯張りされる温水の設定量Ｑ３を用いて、
式１：  ｔ３＝（ｔ１−ｔ２）Ｑ１／Ｑ３＋ｔ２
により算出された湯張り温水推定温度ｔ３が、異常温度であると判断した場合に、異常温度であることを使用者に知らしめる制御手段（２）と、
を備えることを特徴とする給湯装置。
【請求項２】
前記浴槽用定量止水栓（５Ａ）は、水供給手段（５２）および湯供給手段（５３）を備え温度調節機構を有していないことを特徴とする請求項１に記載の給湯装置。
【請求項３】
前記制御手段（２）は、前記式１の代わりに、配管を流れるときの温度降下を考慮した補正値Ｃを用いて、
式２：  ｔ３＝（ｔ１−Ｃ−ｔ２）Ｑ１／Ｑ３＋ｔ２
により湯張り温水推定温度ｔ３を算出することを特徴とする請求項１または２に記載の給湯装置。
【請求項４】
前記温水の平均温度ｔ１および前記上水の平均温度ｔ２は、それぞれ湯張りが開始されてから終了するまでの平均値により求められることを特徴とする請求項１、２、または３に記載の給湯装置。
【請求項５】
前記制御手段（２）は、前記流量計（１３）で連続して検出される前記温水の給湯量Ｑ１が、所定量以下であった場合は、前記温水の給湯量Ｑ１のカウントをクリアすることを特徴とする請求項１〜４のいずれかに記載の給湯装置。
【請求項６】
前記制御手段（２）は、算出された前記湯張り温水推定温度ｔ３が、第１の所定温度以上であった場合は高温の異常温度であると使用者に知らしめ、第２の所定温度以下であった場合は低温の異常温度であると使用者に知らしめることを特徴とする請求項１〜５のいずれかに記載の給湯装置。
【発明の詳細な説明】
【技術分野】
【０００１】
本発明は、予め設定した吐水量になると自動的に止水する定量止水栓と連結される給湯装置に関する。
【背景技術】
【０００２】
従来、この種の給湯装置として、浴槽への湯張り時に使用者が設定した湯量に到達した場合に、ブザー等の警報器にて湯張り完了を使用者に知らせるものが公開されている（例えば、特許文献１参照）。
【０００３】
この給湯装置は、使用者が浴槽の蛇口を開けてお湯を浴槽に落とし込んでいくと、前記蛇口の開動作に連動して前記蛇口からの水量を水量検知器を用いて給湯機の制御部にて積算し記憶するとともに、その積算量をリモコンの湯張り設定量表示部に表示し、使用者が設定した湯張り量に前記積算量が到達すると、ブザー等の警報器で使用者に湯張り完了を知らせるものである。
【特許文献１】実開平５−３８４１号公報
【発明の開示】
【発明が解決しようとする課題】
【０００４】
しかしながら、上記従来の給湯装置は、湯張りの量を積算した値が設定値に達したことをもって、湯張り完了を知らせるのみであり、浴槽に湯張りされたお湯の温度が設定した温度に適したものとなっているか否かを使用者に知らせるものではなかった。
【０００５】
また、上記従来の給湯装置は、設定温度に近くなるように給湯装置内のバーナーでお湯の温度を調節して出湯するものであるが、これと異なり、例えば、使用者が浴槽用定量止水栓に設けられた水量調節バルブと湯量調節バルブのそれぞれの開度を調節することで、使用者自らが湯の温度調節を行うような、温度調節機構を有していない浴槽用定量止水栓と連結される給湯装置においては、使用者による温度調節が不適切であった場合や、結果的に浴槽の湯張り温度が異常な温度になった場合でも使用者は湯にふれるまで気づかないという問題があった。
【０００６】
そこで、本発明の目的は、上記問題点を鑑みてなされたものであり、浴槽の湯張り温度が異常温度になったことを使用者に知らしめることができる給湯装置を提供することにある。
【課題を解決するための手段】
【０００７】
上記目的を達成するために、請求項１ないし請求項６に記載の技術的手段を採用する。すなわち、請求項１に記載の給湯装置の発明は、上水の温度を検出する水温センサ（１４）と、前記上水を加熱する加熱手段（１１）と、前記上水が前記加熱手段（１１）により加熱されて得られた温水の流量および温度をそれぞれ検出する流量計（１３）および湯温センサ（１２）と、前記湯温センサ（１２）の検出値に基づいて求めた前記温水の平均温度ｔ１、前記流量計（１３）の検出値に基づいて求めた前記温水の給湯量Ｑ１、前記水温センサ（１４）の検出値に基づいて求めた前記上水の平均温度ｔ２、および前記湯温センサ（１２）の下流に連結される浴槽用定量止水栓（５、５Ａ）から排出されて浴槽へ湯張りされる温水の設定量Ｑ３を用いて、
式１：  ｔ３＝（ｔ１−ｔ２）Ｑ１／Ｑ３＋ｔ２
により算出された湯張り温水推定温度ｔ３が、異常温度であると判断した場合に、異常温度であることを使用者に知らしめる制御手段（２）と、
を備えることを特徴としている。
【０００８】
請求項１に記載の発明によれば、給湯装置に連結された浴槽用定量止水栓で使用者が湯張り温度の設定ミスをした場合、給湯装置に連結された浴槽用定量止水栓の温度検知機能が故障した場合、またはその温度調節機構の故障の場合によって、浴槽の湯張り温度が異常温度になったときでも、その異常状態を使用者に知らしめることができる安全性の高い給湯装置が得られる。
【０００９】
請求項２に記載の発明では、前記浴槽用定量止水栓（５Ａ）は、水供給手段（５２）および湯供給手段（５３）を備え温度調節機構を有していないことを特徴としている。
【００１０】
請求項２に記載の発明によれば、使用者が水供給手段（５２）および湯供給手段（５３）の調節具合を誤ったことによって湯張り温度が異常温度となってしまった場合でも、湯張り温度を精度高く推定することにより、その異常状態を使用者に知らしめることができる安全性の高い給湯装置が得られる。
【００１１】
請求項３に記載の発明では、前記制御手段（２）は、前記式１の代わりに、配管を流れるときの温度降下を考慮した補正値Ｃを用いて、
式２：  ｔ３＝（ｔ１−Ｃ−ｔ２）Ｑ１／Ｑ３＋ｔ２
により湯張り温水推定温度ｔ３を算出することを特徴としている。
【００１２】
請求項３に記載の発明によれば、配管の長さなどが起因する湯張り温水温度の低下を考慮することにより、より精度の高い湯張り温水温度が推定できる。
【００１３】
請求項４に記載の発明では、前記温水の平均温度ｔ１および前記上水の平均温度ｔ２は、それぞれ湯張りが開始されてから終了するまでの平均値により求められることを特徴としている。請求項４に記載の発明によれば、温水の平均温度ｔ１および上水の平均温度ｔ２をより精度高く求めることができるので、より適切な湯張り温水温度を推定することができる。
【００１４】
請求項５に記載の発明では、前記制御手段（２）は、前記流量計（１３）で連続して検出される前記温水の給湯量Ｑ１が、所定量以下であった場合は、前記温水の給湯量Ｑ１のカウントをクリアすることを特徴としている。
【００１５】
請求項５に記載の発明によれば、浴槽への湯張りが実行されていることを適切に認識することができる給湯装置が得られる。
【００１６】
請求項６に記載の発明では、前記制御手段（２）は、算出された前記湯張り温水推定温度ｔ３が、第１の所定温度以上であった場合は高温の異常温度であると使用者に知らしめ、第２の所定温度以下であった場合は低温の異常温度であると使用者に知らしめることを特徴としている。
【００１７】
請求項６に記載の発明によれば、湯張り温水温度が適温でないことに加えて、それが高温、低温のいずれであるかを使用者に知らしめることができる、より安全性の高い給湯装置が得られる。
【００１８】
なお、上記各手段の括弧内の符号は、後述する実施形態の具体的手段との対応関係を示すものである。
【発明を実施するための最良の形態】
【００１９】
（第１実施形態）
以下に第１実施形態について説明する。本発明の給湯装置１は、後述する浴槽用定量止水栓５、または浴槽用定量止水栓５Ａに連結されて使用されるものである。
【００２０】
図１は、本実施形態における給湯装置１の構成、および浴槽用定量止水栓５との関係を示す模式図である。図２は給湯制御装置２を示す構成図である。図３はリモコン９の内部構成を示す構成図であり、図４はリモコン９の外観を示す正面図である。
【００２１】
本実施の形態に関わる構成部品は、要部である給湯装置１、給湯装置１から情報を表示または報知するとともに、使用者が設定湯量などを操作するリモコン９、浴室内に設置される浴槽用定量止水栓５、この浴槽用定量止水栓５から流出される湯水混合温水が貯められる浴槽６、および台所に設置されるキッチン水栓７である。
【００２２】
上水が導入される給水配管３は、給湯装置１の上流側に接続され、浴槽用定量止水栓５およびキッチン水栓７の給水側に接続されている。給湯用配管４は、流量計１３を間に介して、加熱手段１１である加熱装置の下流側において加熱装置と浴槽用定量止水栓５を連結し、給湯装置１で加熱された温水を浴槽用定量止水栓５に導いている。また、給湯用配管４は、浴槽用定量止水栓５の上流側で分岐して給湯装置１で加熱された温水をキッチン水栓７に導くように接続されている。
【００２３】
給湯装置１の制御手段である給湯制御装置２、およびリモコン９は、電気的に接続された有線のリモコン線８で接続されている。給湯装置１には、内部を流通する上水を加熱する加熱装置、および加熱装置を制御する給湯制御装置２が設けられている。加熱装置は内部に給水用配管３から導水される上水が流通する加熱用熱交換器（図示せず）と、この加熱用熱交換器に流通する上水を外部から加熱する熱源装置（図示せず）とから構成されている。
【００２４】
給湯制御装置２は、マイクロコンピュータを主体として構成され、内蔵のＲＯＭ（図示せず）には、予め設定された制御プログラムが設けられており、流量計１３からの流量情報、および図示しない操作盤からの操作情報に基づいて加熱装置およびリモコン９を制御する。給湯制御装置２には、流量計１３および湯温センサ１２により検出された、加熱装置から流れ出る温水の流量Ｑ１および温度ｔ１のデータを取り込むとともに、水温センサ１４により検出された給水の温度ｔ２のデータを取り込み、さらに浴槽６への湯張りされる設定量Ｑ３のデータを取り込んで、湯張り温水推定温度ｔ３を算出する制御プログラムが設けられている。給湯制御装置２は、この湯張り温水推定温度ｔ３に基づいてリモコン９に湯張り温度が異常であると判断した場合には、リモコン９にその情報を伝達することで使用者は異常状態を知ることになる。
【００２５】
図２に示すように、給湯制御装置２は、加熱装置用入出力回路２１、マイコン２２、リモコン用入出力回路２３、および流量計用入力回路２４、水温センサ用入力回路２５、湯温センサ用入力回路２６から構成される。
【００２６】
加熱装置用入出力回路２１は、加熱装置とマイコン２２との間に設けられ、マイコン２２からの制御信号に基づき加熱装置内に設けられたバルブ等（図示せず）を駆動するための制御信号を出力するとともに、加熱装置内の制御手段（図示せず）から送信されてくるフィードバック信号（主として現時点での水温）を受信して、マイコン２２が読み込める制御信号へと変換し、伝達する入出力手段である。
【００２７】
マイコン２２は、ＣＰＵ、ＲＡＭ、ＲＯＭなどからなり、加熱装置用入出力回路２１と、リモコン用入出力回路２３、さらに流量計用入力回路２４と接続され、リモコン９から送信される操作信号と、流量計１３から送信される流量情報と、加熱装置から送信されるフィードバック信号とを受信し、給湯配管４への給湯制御を演算する演算手段である。
【００２８】
リモコン用入出力回路２３は、リモコン９から送信される操作信号を受信し、マイコン２２が読み込める操作信号に変換するとともに、マイコン２２へ伝達し、さらにマイコン２２からリモコン９へ送信される報知信号を後述するリモコン９の入出力部９１が読み込める報知信号に変換し、送信する入出力手段である。
【００２９】
流量計用入力回路２４は、流量計１３からの流量信号を受信し、マイコン２２が読み込める流量信号に変換するとともに、マイコン２２に伝達する入力手段である。水温センサ用入力回路２５は、水温センサ１４からの温度信号を受信し、マイコン２２が読み込める温度信号に変換するとともに、マイコン２２に伝達する入力手段である。湯温センサ用入力回路２６は、湯温センサ１２からの温度信号を受信し、マイコン２２が読み込める温度信号に変換するとともに、マイコン２２に伝達する入力手段である。
【００３０】
次に、リモコン９の内部構成は、図３に示すように、入出力回路９１、マイコン９２、スイッチ部９３、表示部９４、およびスピーカー９５からなる。
【００３１】
入出力回路９１は、給湯制御装置２からの報知信号を受信し、マイコン９２に伝達するとともに、マイコン９２からの操作信号を給湯制御装置２のリモコン用入出力回路２３が読み込める操作信号に変換し、伝達する入出力手段である。
【００３２】
マイコン９２は、マイコン２２と同様の構成で、ＣＰＵ、ＲＡＭ、ＲＯＭなどからなり、入出力回路９１、スイッチ部９３、表示部９４、およびスピーカー９５のそれぞれに接続され、スイッチ部９３からの操作信号を受信するとともに、入出力回路９１から伝達された報知信号を、表示部９４およびスピーカー９５に出力する演算装置である。
【００３３】
次に、リモコン９の外観は、図４に示すように、その前面に、表示部９４と、スピーカー９５と、スイッチ部９３を構成する、「湯張り量」ボタン９３ａ、「湯温設定」ボタン９３ｂ、「上昇」ボタン９３ｃ、「下降」ボタン９３ｄ、および「確定」ボタン９３ｅとが配置されているものである。
【００３４】
浴槽へ湯張りされる設定量Ｑ３の設定手順を説明する。設定量Ｑ３は、使用者が浴槽６内に湯張りしたいと考える湯量であり、通常の浴槽においては、１００Ｌ〜４００Ｌの範囲で設定するものである。
【００３５】
まず「湯張り量」ボタン９３ａを押すことで、湯張り量設定モードになり、表示部９４に数値と単位［Ｌ］が点滅する。次に「上昇」ボタン９３ｃまたは「下降」ボタン９３ｄを押すことで設定量Ｑ３が任意に設定できる。そして、「確定」ボタン９３ｅを押すと設定量Ｑ３が確定されることになる。
【００３６】
次に、給湯装置１から出湯する給湯温度の設定手順を説明する。まず、「湯温設定」ボタン９３ｂを押すことで、湯温設定モードになり、表示部９４に数値と単位［℃］が点滅する。次に、「上昇」ボタン９３ｃまたは「下降」ボタン９３ｄを押すことで給湯温度が任意に設定できる。そして、「確定」ボタン９３ｅを押すと給湯温度が確定されることになる。
【００３７】
次に、浴槽用定量止水栓５はお湯張り量が予め設定した目標お湯張り量に達すると自動的に止水する機能を有する水栓金具である。本実施形態の浴槽用定量止水栓５は、浴室内の浴槽と洗い場とが隣接する壁面に取り付けるタイプであって、特に、浴槽内にお湯張りを行なうときに、図６（ａ）に示すように、本体５１の上面に設けられた操作パネル５１１内の吐水／止水スイッチ５１１ａを操作することで、定量お湯張り運転が開始され、吐水口５１ｂより設定した湯温の混合水を自動で吐水し、予め設定された目標お湯張り量に達したときに自動的に止水するようにしている。
【００３８】
そして、浴槽用定量止水栓５は、湯水を混合する湯水混合栓本体５２と混合された混合水の水路を開閉する本体５１とを給水管５１ａを介して連結している。また、湯水混合栓本体５２には、右端側に温度設定手段である温調ハンドル５３、正面側に流路切替ハンドル５４、左端側に流量調節ハンドル５５が備えられている。シャワーホース５６、冷水流水路５７、温水流水路５８が設けられている。
【００３９】
次に、湯水混合栓本体５２の概略構成を図６（ｂ）に基づいて説明する。図６（ｂ）に示すように、湯水混合栓本体５２には、湯と水を混合する湯水混合手段５２１の他に、湯水混合手段５２１により混合された混合水の流量を調節する流量調節手段５２２と、混合された混合水を給水管５１ａまたはシャワーホース５６のいずれか一方に流路を切り替える流路切替手段５２３とから構成されている。
【００４０】
また、湯水混合手段５２１の上流端は、給水用配管３を介して上水（水道管）に接続されて常温の水が流入される冷水流入路５７と、給湯用配管４を介して給湯装置１に接続されて給湯装置１から吐出される温水が流入する温水流入路５８とが備えられている。
【００４１】
そして、湯水混合手段５２１は、内部にサーモワックスなどの感温体が収容されたサーモスタットからなる弁体（図示せず）、温調ハンドル５３の回転角を往復動に変換する回転／往復変換部材（図示せず）、および温調ハンドル５３から構成され、この温調ハンドル５３を回転させることで、混合水を所望する湯温に設定できるようにしている。これにより、冷水流入路５７および温水流入路５８から流入した温水と水とが所望する湯温となるように混合される。
【００４２】
また、流量調節手段５２２には、流量調節ハンドル５５が設けられ、この流量調節ハンドル５５を回転させることで、流量調節手段５２２による混合水の流量を調節できるようになっている。また、流路切替手段５２３には、流路切替ハンドル５４が設けられ、この流路切替ハンドル５４を回すことにより、混合水を給水管５１ａまたはシャワーホース５６のいずれか一方に切り替えられるとともに、給水管５１ａまたはシャワーホース５６のいずれへも止水するストップ機能が設けられている。
【００４３】
次に、浴槽用定量吐水栓５における本体５１の内部構成を図５に基づいて説明する。図５は浴槽用定量止水栓５の本体５１を示す構成図である。本体５１は、給水管５１ａから吐水口５１ｂに至る水路５１ｃを開閉する流水開閉手段５１３と、水車５１４ａおよび発電機コイル５１４ｂからなり、水路５１ｃを流れる混合水の流水エネルギーにより水車５１４ａを回転させて発電する発電手段５１４と、この発電手段５１４により発電された電力を蓄える電源手段である蓄電用コンデンサ５１５と、水車５１４ａの回転を検出して水路５１ｃを流れる混合水の吐水流量を測定する吐水流量測定手段５１４ａ、５１４ｂと、蓄電用コンデンサ５１５により電源が供給されて流水開閉手段５１３の開閉を制御する定量止水制御装置５１６とから構成されている。
【００４４】
まず、流水開閉手段５１３は、ソレノイドなどからなる電磁弁コイル５１３ａにより開閉動作を行なうパイロット弁５１３ｂと、ダイヤフラムからなる主弁５１３ｃとで構成され、電磁弁コイル５１３ａに通電し、混合水の一部を導いたパイロット弁５１３ｂを開弁することで、ダイヤフラムを作用させて主弁５１３ｃを開弁させるようになっている。
【００４５】
これにより、電磁弁コイル５１３ａに印加する電力が小さくても、小さな動力で動作するパイロット弁５１３ｂを通過した混合水の圧力により、ダイヤフラムを作用させて大きな動力を必要とする主弁５１３ｃを動作させたものである。なお、電磁弁コイル５１３ａは定量止水制御装置５１６により制御されてパイロット弁５１３ｂを開弁／閉弁を行なうものである。
【００４６】
なお、手動弁５１３ｄは、使用者の人力により主弁５１３ｃを開弁させる弁である。これは、後述する蓄電用コンデンサ５１５に蓄えられた電力がないとき、または定量止水制御装置５１６、電磁弁コイル５１３ａなどの機器故障時に主弁５１３ｃを強制的に開弁させることができるようにしている。
【００４７】
発電手段５１４は、吐水量測定手段である水車５１４ａおよび発電機コイル５１４ｂとからなる。水車５１４ａは、混合水の水路５１ｃ中に配設され、水路５１ｃを流れる混合水の流水エネルギーを回転力に変換する。また、水車５１４ａは、複数個の磁極をもつように磁化された永久磁石となっているため、この回転力は発電機コイル５１４ｂに伝えられて電力を発電する。そして、発電された電力は、定量止水制御装置５１６内に設けられた整流器（図示せず）により直流に変換され、さらに電圧調整された後、電源手段である蓄電用コンデンサ５１５に蓄えるように構成されている。
【００４８】
また、本実施形態では、吐水口５１ｂから吐水する吐水流量を測定するために、水車５１４ａの回転により発生する発電機コイル５１４ｂの出力波形を定量止水制御装置５１６に出力して、その出力波形を発電パルスに変換して発電パルス数をカウントすることで水車５１４ａの回転数に換算して吐水流量を算出するようにしている。
【００４９】
なお、ここで説明する吐水流量は、混合水が吐水口５１ｂから吐水する流量Ｌ／分を示すものであって、吐水流量と水車５１４ａの回転数との関係は略比例関係となっているため、カウントした発電パルス数から回転数に変換させて吐水流量が求められるように予め設定されている。
【００５０】
また、水車５１４ａの回転数を発電機コイル５１４ｂから発する出力波形から回転数信号を求めたが、これに限らず、水車５１４ａの回転数を検出する回転センサを設けて回転数信号を定量止水制御装置５１６に出力させても良い。整流板５１ｄにより吐水口５１ｂから吐水された水流を整流して外部に吐水するようになっている。
【００５１】
また、水車５１４ａの下流側には吐水口５１ｂから吐水される混合水の湯温を検出する湯温センサ５１７が設けられ、湯温センサ５１７で検出された温度情報を定量止水制御装置５１６に出力するように接続されている。さらに、操作パネル５１１には、湯温センサ５１７で検出された温度情報を報知するための湯温表示部５１１ｂが設けられている。
【００５２】
次に、定量止水制御装置５１６の構成について説明する。定量止水制御装置５１６は、回路基板上に配設されたＣＰＵ、ＲＯＭ、ＲＡＭを中心とした周知のマイクロコンピュータにより構成されているＣＰＵ５１６ａ、およびそのＣＰＵ５１６ａに接続されるその他の電子部品から構成されており、操作パネル５１１の下方に設けられている。
【００５３】
図７は浴槽用定量止水栓５の本体５１を示す構成図である。図７に示すように、ＣＰＵ５１６ａには、操作モードに基づく主弁５１３ｃの開閉制御、発電機５１４からの出力波形に基づく吐水流量の計測と演算手段、湯温表示部５１１ｂの制御などを行なう制御プログラムの制御処理が設けられている。さらに、発電機５１４ｂからの出力波形に基づく吐水開始から吐水量の積算値である湯張り量を求める湯張り量演算手段と、予め設定された湯張り設定量を記憶する湯張り設定量記憶手段が設けられている。この湯張り設定量記憶手段で記憶される湯張り設定量は、使用者が浴槽内６に湯張りしたいと考える混合水量Ｑ３であり、使用者が浴槽用定量止水栓５の本体５１を操作することにより設定されるものである。
【００５４】
電磁弁駆動回路５１６ｂは、ＣＰＵ５１６ａからの指令信号に基づいて電磁弁コイル５１３ａに通電し、パイロット弁を駆動させて主弁５１３ｃを開閉する信号を出力する。波形整形回路５１６ｃは、発電機５１４から出力される出力波形をＣＰＵ５１６ａに入力するための発電パルスに変換する。直流電源回路５１６ｄは、発電機５１４で発生した交流電圧を整流、平滑して直流に変換後定電圧ＩＣなどで電圧を安定化させる。
【００５５】
なお、湯温表示部５１１ｂは、回路基板（図示せず）に設けられ、ＣＰＵ５１６ａからの指令に基づき湯温センサ５１７により検出された温度を操作パネル５１１に表示するように構成されている。また、電磁弁コイル５１３ａは電磁弁駆動回路５１６ｂに接続され、発電機５１４は波形整形回路５１６ｃおよび直流電源回路５１６ｄに接続され、蓄電用コンデンサ５１５は、直流電源回路５１６ｄに接続され充電されるとともに、定量止水制御装置５１６および湯温表示部５１１ｂの電源となるように接続されている。吐水／止水スイッチ５１１ａは、湯温表示部５１１ｂと同じように、回路基板（図示せず）に設けられ、ＣＰＵ５１６ａに接続する電気回路を開閉する開閉スイッチを用いてＣＰＵ５１６ａに電気的指示を出力するようにしている。
【００５６】
次に、図８に示すフローチャートを用いて給湯装置１による制御フローを説明する。使用者が浴槽６に湯張りを行いたいときは、上述の、湯張り設定量Ｑ３の設定手順および湯張り設定温度の設定手順のとおりにリモコン９を操作する。このリモコン９の操作とともに、使用者は浴槽用定量止水栓５の本体５１を操作して湯張り設定量Ｑ３を設定し、浴槽用定量止水栓５の蛇口を開放することが必要である。そして、このリモコン９からの情報が給湯制御装置２に伝達され、給水配管３から給水が行われるとともに加熱装置で水が加熱されて出湯が行われ、制御フローがスタートする。
【００５７】
まず、ステップ１００で、流量計１３から、一定流量を検知する計量信号があるか否かを判断して、湯張りが開始されたか否かを判断する。計量信号があると判断した場合は、湯張りが開始されたと判断して湯温センサ１２で温水の温度を検出し続け、その平均値ｔ１を求める（ステップ１１０）。同時に水温センサ１４で上水からの給水温度も検出し続け、その平均値ｔ２を求める（ステップ１１５）。さらに、この間の流量を流量計１３で検出し続け給湯量Ｑ１をカウントする（ステップ１２０）。この温水の平均値ｔ１、上水の平均値ｔ２、および給湯量Ｑ１は、後述するステップ１３０で流量計１３から、一定流量を検知する計量信号がなくなったと判断するまで検出し続けるものである。
【００５８】
次に、この給湯量Ｑ１が浴槽湯張り判定値Ｒに到達したか否かを判断し（ステップ１２５）、まだ到達していない場合は再びステップ１００に戻り、ステップ１００を経て温水の平均値ｔ１、上水の平均値ｔ２、および給湯量Ｑ１を計測し続ける。しかし、再びステップ１００に戻った場合に、流量計１３の計量信号がないと判断したときは、浴槽６への湯張りが行われていない上に、キッチン水栓７などの他の水栓の使用が終了した状態であると考えて、給湯量Ｑ１のカウント値をクリアし、再度ステップ１００に戻ることになる。
【００５９】
この浴槽湯張り判定値Ｒは、温水が浴槽用定量止水栓５から浴槽６内へ供給されたものなのか、あるいはキッチン水栓７から排出されたものなのかを判定するための値であり、本実施形態ではその一例として５０Ｌを採用する。つまり、連続して計測した給湯量Ｑ１が５０Ｌ以上の場合は、浴槽６へ湯張りが行われていると判断し、５０Ｌ未満の場合は、湯張りが行われていないと判断する。これは、前述したように通常の浴槽においては、湯張り量の設定量Ｑ３は１００Ｌ〜４００Ｌの範囲で設定されることを想定しており、一方で、キッチン水栓７から排出する場合には、通常５０Ｌ以上の連続的使用は想定し得ないと考えられるからである。
【００６０】
給湯量Ｑ１が浴槽湯張り判定値Ｒに到達したと判断した場合は、ステップ１３５に移行して湯張り温水推定温度ｔ３を算出する。湯張り温水推定温度ｔ３は、下記の式１により算出されるものである。
【００６１】
式１：  ｔ３＝（ｔ１−ｔ２）Ｑ１／Ｑ３＋ｔ２
式１は、下記の式１ａおよび式１ｂの熱量および流量の計算式により求めた値である。
【００６２】
式１ａ：  Ｑ３・ｔ３＝Ｑ１・ｔ１＋Ｑ２・ｔ２
式１ｂ：  Ｑ２＝Ｑ３−Ｑ１
（Ｑ１：温水の給湯量、Ｑ２：上水の給水量、Ｑ３：湯張り設定量、ｔ１：温水の平均温度、ｔ２：上水の平均温度、ｔ３：湯張り温水推定温度）
次に、ステップ１４０で、このようにして算出した湯張り温水推定温度ｔ３が、第１の所定温度の一例である４６℃以上であるか否かを判断し、４６℃以上であれば、給湯制御装置２からリモコン９へ、湯張り温水温度が高温であることを伝達し、リモコン９の表示部９４にその旨を表示するか、あるいは使用者にスピーカー９５から警報音やメッセージを発信する（ステップ１４５）。
【００６３】
一方、湯張り温水推定温度ｔ３が、第１の所定温度の一例である４６℃よりも低い場合には、ステップ１５０で、第２の所定温度の一例である３４℃以下であるか否かを判断し、３４℃以下であれば、給湯制御装置２からリモコン９へ、湯張り温水温度が低温であることを伝達し、リモコン９の表示部９４にその旨を表示するか、あるいは使用者にスピーカー９５から警報音やメッセージを発信する（ステップ１５５）。
【００６４】
また、３４℃＜ｔ３＜４６℃であれば、湯張り温度は適温であるとして、湯張り完了のみをリモコン９の表示部９４に表示するか、あるいは使用者にスピーカー９５で知らせて終了する。
【００６５】
なお、式１における温水の平均温度ｔ１は、給湯装置１の出口側で検出されるものであるので、供給される温水は、浴槽用定量止水栓５の本体５１に至るまでに数ｍにおよぶ配管内を流通することになる。このため、温水は前記配管内で冷やされ、温水の温度降下が起こり、検出により求められた温水の平均温度ｔ１と、浴槽用定量止水栓５の本体５１における温水の温度との間には差が生じることになる。したがって、式１において温水の平均温度ｔ１に、温度降下を考慮した補正値Ｃを差し引いた下記の式２により、湯張り温水推定温度ｔ３を求めた場合には、さらに湯張り温度推定の精度を向上させることができる。
【００６６】
式２：  ｔ３＝（ｔ１−Ｃ−ｔ２）Ｑ１／Ｑ３＋ｔ２
上記の補正値Ｃは、施工される配管の長さによって変動させることができる値であり、製品の工場出荷時にはある値で設定されているが、施工現場においてビットスイッチの操作やリモコン９の操作などより、補正値Ｃは任意の値に変更することができるように構成している。
【００６７】
次に、浴槽用定量止水栓５の変形例として、温度調節機構のない浴槽用定量止水栓５Ａの構成について説明する。図９に示すように、浴槽用定量止水栓５Ａは、浴槽６への湯張り量が浴槽用定量止水栓５Ａの本体５１で予め設定した湯張り設定量に達すると、自動的に止水する機能を有する定量止水ユニット５１と、温水と上水を混合するための湯水混合部５９ａと、水供給手段である水量を調節するための水量調節ハンドル５９ｂと、湯供給手段である湯量を調節するための湯量調節ハンドル５９ｃとから構成され、浴室内の浴槽と洗い場とが隣接する壁面に取り付けられる。湯水混合部５９ａには、給水配管３と給湯用配管４が接続され、水量調節ハンドル５９ｂおよび湯量調節ハンドル５９ｃが設けられ、それぞれのハンドルの開度を調節することで水と湯の混合量の比率が定まり、内部で湯と水を混合させた温水が本体５１に送り込まれる。
【００６８】
使用者が、この浴槽用定量止水栓５Ａが接続された給湯装置１を用いて、浴槽６へ湯張りを行うときの制御フローを説明する。
【００６９】
浴槽用定量止水栓５Ａの水量調節ハンドル５９ｂと湯量調節ハンドル５９ｃを操作し、さらに、湯張り設定量Ｑ３を設定し、本体５１に設けられたスイッチ手段（図示せず）を操作すると、上述の図８に示す制御フローがスタートする。以下、図８に示すステップ１００〜ステップ１５５に至るフローは、上述の説明と同様であり、その説明は省略する。
【００７０】
このように本実施形態において、湯温センサ１２で検出することにより求めた温水の平均温度ｔ１と、流量計１３で検出することにより求めた温水の給湯量Ｑ１と、水温センサ１４で検出することにより求めた上水の平均温度ｔ２と、浴槽用定量止水栓５、５Ａから浴槽へ湯張りされる使用者が決めた定量Ｑ３とを用いて、
式１：  ｔ３＝（ｔ１−ｔ２）Ｑ１／Ｑ３＋ｔ２
により算出された湯張り温水推定温度ｔ３が、異常温度であると判断した場合に、使用者に知らしめる構成としたので、湯張り温度を複雑な算出式を用いないで精度高く推定することができ、使用者が給湯装置に連結された浴槽用定量止水栓を操作することにより設定した湯張り温水温度の設定ミスや、給湯装置に連結された浴槽用定量止水栓５の温度検知機能の故障や、その温度調節機構の故障などにより、浴槽の湯張り温度が異常温度になった場合でも、その異常状態を使用者に知らしめることができ、製品の安全性を高めることができる。また、温度調節機構のない浴槽用定量止水栓５Ａに対して、本発明の給湯装置１を連結させることで、異常温度報知機能を有した給湯システムに機能アップすることができる。
【００７１】
また、水量調節ハンドル５９ｂおよび湯量調節ハンドル５９ｃを備えて温度調節機構を有していない浴槽用定量止水栓５Ａに、前記温水が供給されうるように給湯装置１を連結するとともに、湯温センサ１２で検出することにより求めた前記温水の平均温度ｔ１と、
前記流量計１３で検出することにより求めた前記温水の給湯量Ｑ１と、前記水温センサ１４で検出することにより求めた前記上水の平均温度ｔ２と、前記浴槽用定量止水栓５Ａから浴槽へ湯張りされる設定量Ｑ３とを用いて、
式１：  ｔ３＝（ｔ１−ｔ２）Ｑ１／Ｑ３＋ｔ２
により湯張り温水推定温度ｔ３を算出する。この湯張り温水推定温度ｔ３が、異常温度であると判断された場合に、使用者に知らしめる構成としたので、使用者が水量調節ハンドル５９ｂおよび湯量調節ハンドル５９ｃの調節具合を誤ったことによって湯張り温水温度が異常温度となってしまった場合でも、湯張り温水温度を精度高く推定することにより、その異常状態を使用者に知らしめることができ、製品の安全性を高めることができる。
【００７２】
また、給湯制御装置２が、式１の代わりに、配管を流れるときの温度降下を考慮した補正値Ｃを用いて、
式２：  ｔ３＝（ｔ１−Ｃ−ｔ２）Ｑ１／Ｑ３＋ｔ２
により湯張り温水推定温度ｔ３を算出することとした場合には、配管の長さなどが起因する湯張り温水温度の低下を考慮することにより、より精度の高い湯張り温水温度が推定できる。また、これを現場に応じて適宜設定することでより使用状況に応じた安全性の高い製品とすることができる。
【００７３】
また、温水の平均温度ｔ１および上水の平均温度ｔ２は、それぞれ湯張りが開始されてから終了するまでの平均値により求められることとしたので、温水の平均温度ｔ１および上水の平均温度ｔ２をより精度高く求めることができる。
【００７４】
また、給湯制御装置２は、流量計１３で連続して検出される温水の給湯量Ｑ１が、所定量以下であった場合は、温水の給湯量Ｑ１のカウントをクリアすることとしているので、浴槽への湯張りが実行されていることを適切に認識することができる。
【００７５】
また、給湯制御装置２は、算出された湯張り温水推定温度ｔ３が、第１の所定温度（例えば４６℃）以上であった場合は高温の異常温度であると使用者に知らしめ、第２の所定温度（例えば３４℃）以下であった場合は低温の異常温度であると使用者に知らしめることとした場合には、湯張り温水温度が適温でないことに加えて、それが高温、低温のいずれであるかを使用者に知らしめることができるので、より使用者に配慮した製品を提供できる。
【図面の簡単な説明】
【００７６】
【図１】本発明の第１実施形態における給湯装置１の構成、および浴槽用定量止水栓５との関係を示す模式図である。
【図２】第１実施形態における制御装置２を示す構成図である。
【図３】第１実施形態におけるリモコン９の内部構成を示す構成図である。
【図４】第１実施形態におけるリモコン９の外観を示す正面図である。
【図５】第１実施形態における浴槽用定量止水栓５の本体５１の内部構成を示す模式図である。
【図６】（ａ）は、第１実施形態における定量止水栓５の全体構成を示す斜視図である。（ｂ）は定量止水栓５の全体構成を示すブロック図である。
【図７】第１実施形態における浴槽用定量止水栓５の本体５１の構成を示す構成図である。
【図８】第１実施形態における給湯装置１の制御フローを示すフローチャートである。
【図９】第１実施形態における浴槽用定量止水栓５Ａを示す構成図である。
【符号の説明】
【００７７】
１        給湯装置
２        給湯制御装置（制御手段）
５、５Ａ  浴槽用定量止水栓（浴槽用給湯手段）
１１      加熱手段
１２      湯温センサ
１３      流量計
１４      水温センサ
【図１】
2006234206.tif 000003
【図２】
2006234206.tif 000004
【図３】
2006234206.tif 000005
【図４】
2006234206.tif 000006
【図５】
2006234206.tif 000007
【図６】
2006234206.tif 000008
【図７】
2006234206.tif 000009
【図８】
2006234206.tif 000010
【図９】
2006234206.tif 000011